(57)【要約】【課題】パチンコ玉あるいはスロットマシーン用コインを運ぶのに利便性が高い遊技用運搬台車を提供する。【解決手段】底面の裏面側に走行用車輪２，３を有する台車本体１を備えていて、パチンコ玉あるいはスロットマシーン用コインを運ぶのに用いられる。台車本体１は、その上面側に開口しているプール状収容空間４を形成していることを特徴とする遊技用運搬台車。【選択図】図１
0003120313.tif 000002
【実用新案登録請求の範囲】
【請求項１】
底面の裏面側に走行用車輪を有する台車本体を備えていて、パチンコ玉あるいはスロットマシーン用コインを運ぶのに用いられる遊技用運搬台車において、
前記台車本体は、その上面側に開口しているプール状収容空間を形成していることを特徴とする遊技用運搬台車。
【請求項２】
前記プール状収容空間が、少なくとも５ｃｍ以上の深さを有すると共に、前記台車本体は、その底面の裏面側が開放空間を有していて、上面から底部にかけて周壁が徐々に拡がる末拡がり状に形成されていると共に、前記台車本体に別の台車本体を被せるようにして積み重ね可能になっている請求項１に記載の遊技用運搬台車。
【請求項３】
前記走行用車輪が、前記台車本体のプール状収容空間の四隅それぞれの裏面側の位置に取り付けられており、前記プール状収容空間の底には、前記台車本体に別の台車本体を被せて重ねた時に別の台車本体の走行用車輪と合う位置に凹みが設けられていて、前記台車本体に別の台車本体を被せて重ねた時に別の台車本体の走行用車輪が下方位置にある台車本体の前記プール状収容空間の底の凹みに嵌まり込む構成とした請求項１又は２に記載の遊技用運搬台車。
【請求項４】
前記プール状収容空間を減殺して上げ底とするプレート本体と、プレート本体の裏面に付設された脚用突出片とを有し、この脚用突出片を下側にして前記プール状収容空間に取り出し可能にセットされる底上げ用プレートを備えている請求項１〜３のいずれか１項に記載の遊技用運搬台車。
【請求項５】
前記プレート本体には、前記台車本体に別の台車本体を被せた時に、この別の台車本体の走行用車輪に対応する位置に切欠きが設けられていて、前記台車本体に別の台車本体を被せて重ねた時に、別の台車本体の走行用車輪が下方位置にある台車本体にセットされている前記プレート本体の切欠きに嵌まり込む構成とした請求項４に記載の遊技用運搬台車。
【考案の詳細な説明】
【技術分野】
【０００１】
本考案は遊技用運搬台車に関し、詳しくは、パチンコ台やスロットマシーンのような遊技用機械が置かれている遊技店で、パチンコ玉あるいはスロットマシーン用コイン（スロットマシーン用メダル）を運ぶのに用いられる遊技用運搬台車に関する。
【背景技術】
【０００２】
従来、パチンコ店のような遊技店でパチンコ玉を運ぶのに使われる遊技用運搬台車は、図１０に示すように、パチンコ玉を入れたパチンコ玉箱が載置される車輪付きの台車本体９１と、台車本体９１の後部に取り付けられた台車移動用把手９２とを備えている。パチンコ店の店員や客が遊技用運搬台車によりパチンコ玉を運ぶ時は、普通、図１１に示すように、パチンコ玉Ｐが充満したパチンコ玉箱Ｑを台車本体９１の上に積み重ねて載せておいてから、台車移動用把手９２を押し引きすることにより、台車本体９１をパチンコ玉箱Ｑごと走行させてパチンコ玉Ｐを運んだりする。
【考案の開示】
【考案が解決しようとする課題】
【０００３】
しかしながら、従来の遊技用運搬台車は、パチンコ玉箱Ｑの運搬中に往々にしてパチンコ玉箱Ｑが台車本体９１から滑り落ちるという問題がある。パチンコ玉箱Ｑが、台車本体９１の表面を横滑りしてパチンコ玉箱Ｑが床に落下すると、パチンコ玉Ｐがパチンコ店の床に投げ出されて散らばってしまう。最近はパチンコ玉箱Ｑが大型化しパチンコ玉の収容個数も多いため、それらが一斉に床に散らばると大きな混乱が生じる。
【０００４】
パチンコ玉箱が台車本体の表面を滑動するのを防止するため、台車本体の表面に浅い凹み（図示省略）が付けられている場合もあるが、パチンコ玉箱も台車本体も、共に滑り易いプラスチック製であることから、浅い凹みを台車本体の表面に設けただけでは、パチンコ玉箱が台車本体から滑り落ちるのを確実に防ぐことは到底できない。
【０００５】
そこで、本考案は上記実情に鑑みてなされたものであり、その課題は、パチンコ玉あるいはスロットマシーン用コインを運ぶのに利便性が高い遊技用運搬台車を提供することであり、特に、運搬中に台車からパチンコ玉あるいはスロットマシーン用コインが落下するのを確実に防止可能な遊技用運搬台車を提供することにある。
【課題を解決するための手段】
【０００６】
上記課題を解決するため、本考案に係る遊技用運搬台車は、底面の裏面側に走行用車輪を有する台車本体を備えていて、パチンコ玉あるいはスロットマシーン用コインを運ぶのに用いられる遊技用運搬台車において、前記台車本体は、その上面側に開口しているプール状収容空間を形成していることを特徴とする。
【０００７】
本考案の遊技用運搬台車でパチンコ玉あるいはスロットマシーン用コイン（以下、「パチンコ玉等」ということがある）を運ぶ場合、走行用車輪付きの台車本体に設けられたプール状収容空間の開口からパチンコ玉等をプール状収容空間内に直接投入したり、あるいは、パチンコ玉が入ったパチンコ玉箱あるいはコインが入ったコイン箱をプール状収容空間の開口から落とし込んでプール状収容空間に嵌め込んでから、台車本体を走行させる。そして、台車本体に設けられたプール状収容空間はかなりの深さがあるので、プール状収容空間に投入されたパチンコ玉等あるいはプール状収容空間に嵌め込まれたパチンコ玉箱やコイン箱は、運搬中ずっと安定度の高い収容状態であり続ける。
【０００８】
その結果、パチンコ玉等が運搬中にプール状収容空間から外へこぼれ落ちる恐れは全然ないし、またパチンコ玉箱やコイン箱が運搬中に台車本体から滑り落ちる心配もない。よって、本考案の遊技用運搬台車によれば、パチンコ玉等が運搬中に台車から落下するのを確実に防止することができる。
【０００９】
本考案の好ましい実施形態として、前記プール状収容空間が、少なくとも５ｃｍ以上の深さを有すると共に、前記台車本体は、その底面の裏面側が開放空間を有していて、上面から底部にかけて周壁が徐々に拡がる末拡がり状に形成されていると共に、前記台車本体に別の台車本体を被せるようにして積み重ね可能になっている形態が挙げられる。
【００１０】
この実施形態によれば、プール状収容空間の深さが５ｃｍ以上であるので、プール状収容空間に投入されたパチンコ玉等あるいはプール状収容空間に嵌め込まれたパチンコ玉箱やコイン箱は、運搬中、安定度の高い収容状態を維持でき、パチンコ玉等が運搬中に台車から落下するのを一層確実に防止できる。のみならず、複数台の台車本体を次々と被せて重ね、台車本体の複数台を積み重ねて置くことができるので、これらを纏めて保管しておく時の高さを低くでき、所定高さの空間に多くの台車本体を纏めて保管できて、結果的に保管に要する専有面積も小さくできる。
【００１１】
本考案の他の好ましい実施形態として、前記走行用車輪が、前記台車本体のプール状収容空間の四隅それぞれの裏面側の位置に取り付けられており、前記プール状収容空間の底には、前記台車本体に別の台車本体を被せて重ねた時に別の台車本体の走行用車輪と合う位置に凹みが設けられていて、前記台車本体に別の台車本体を被せて重ねた時に別の台車本体の走行用車輪が下方位置にある台車本体の前記プール状収容空間の底の凹みに嵌まり込む構成とした形態が挙げられる。
【００１２】
この実施形態によれば、台車本体に別の台車本体を被せて重ねた時に、別の台車本体の走行用車輪が下方位置にある台車本体のプール状収容空間の底の凹みに嵌まり込むので、台車本体に別の台車本体を被せて重ねた時に別の台車本体の走行用車輪が、下の台車本体でつかえて嵩高になるのを回避できる。
【００１３】
本考案の他の好ましい実施形態として、前記プール状収容空間を減殺して上げ底とするプレート本体と、プレート本体の裏面に付設された脚用突出片とを有し、この脚用突出片を下側にして前記プール状収容空間に取り出し可能にセットされる底上げ用プレートを備えている形態が挙げられる。
【００１４】
この実施形態によれば、脚用突出片を下側にして底上げ用プレートをプール状収容空間にセットすることによって、プレート本体が新たな底になるので、プール状収容空間の深さを底上げ用プレートの高さ（プレート本体の厚み＋脚用突出片の高さ）だけ浅くでき、プール状収容空間を減殺できる。その結果、出玉を多く見せることができ、遊技者の満足感を高めることができる。また、底上げ用プレートをプール状収容空間から取り出すことにより、プール状収容空間を元の深さに戻すこともできる。
【００１５】
本考案の他の好ましい実施形態として、前記プレート本体には、前記台車本体に別の台車本体を被せた時に、この別の台車本体の走行用車輪に対応する位置に切欠きが設けられていて、前記台車本体に別の台車本体を被せて重ねた時に、別の台車本体の走行用車輪が下方位置にある台車本体にセットされている前記プレート本体の切欠きに嵌まり込む構成とした形態が挙げられる。
【００１６】
この実施形態によれば、台車本体に別の台車本体を被せて重ねた時に別の台車本体の走行用車輪が、下の台車本体にセットされているプレート本体の切欠きに嵌まり込むので、台車本体に別の台車本体を被せて重ねた時に、別の台車本体の走行用車輪が底上げ用プレートでつかえて嵩高になるのを回避できる。
【００１７】
本考案の他の好ましい実施形態として、台車本体の後側に取り外し可能なかたちで取り付けられる台車移動用把手を備えていると共に、台車本体の前側壁と後側壁の少なくとも一方に作業者が手を掛けられる台車移動用貫通孔が設けられている形態が挙げられる。
【００１８】
この実施形態によれば、台車移動用把手を着脱自在に台車本体に取り付けておいて、作業者が台車移動用把手を持ったまま押したり引いたりすることで台車本体を容易に走行させられる。また、前側壁と後側壁の台車移動用貫通孔のどちらか一方に作業者が手を掛けて押したり引いたりすることでも台車本体を容易に走行させられる。さらに、台車移動用貫通孔の両方に作業者が同時に手を掛けて引き上げるだけで（台車本体を走行させるのが難しい場合でも）台車本体を簡単に持ち上げて速やかに移動させることもできる。
【考案を実施するための最良の形態】
【００１９】
本考案の実施形態を、図面を参照して詳しく説明する。図１は本実施形態に係る遊技用運搬台車の表側を示す斜視図、図２は本実施形態の遊技用運搬台車の裏側を示す底面図である。
【００２０】
この遊技用運搬台車は、図１，２に示すように、その裏面側に一対の前輪２，２と一対の後輪３，３の計４個の走行用車輪を装着した台車本体１を備えていて、パチンコ台やスロットマシーンのような遊技用機械が置かれているパチンコ店等で、パチンコ玉等を運ぶのに用いられる台車である。
【００２１】
この遊技用運搬台車の台車本体１には、図１に示すように、台車本体１の上面に開口している略直方体形をしたプール状収容空間４が形成されている。プール状収容空間４は、底が台車本体１の下端近くまで下がっており、プール状収容空間４の深さは５ｃｍ以上であることが好ましく、７ｃｍ以上であることがより好ましい。台車本体１は、耐衝撃性を有するプラスチック材製であり、表面や側面は強度を確保するためなどから、一定の厚みを有しているが、内側は殆ど中空状態となっている。
【００２２】
また、台車本体１には、プール状収容空間４の四隅近傍のそれぞれの裏面側の位置に、キャスター式の前輪２と非キャスター式の後輪３が取り付けられている。これら前輪２および後輪３は、全て下端が台車本体１の周壁１Ａの下端より幾分下方側に突出していて、台車本体１が床に置かれた時には、台車本体１の周壁１Ａの下端が床面に接触することなく、前輪２と後輪３だけで床面に接触する。
【００２３】
一方、この遊技用運搬台車は、図１に示すように、台車本体１の後側に、取り外し可能に取り付けられる台車移動用の逆Ｕ字状把手５を備えることが可能になっている。逆Ｕ字状把手５を台車本体１に取り付けるには、逆Ｕ字状把手５の両端を台車本体１の後端部表面に設けられた把手取付用孔６，６に差し込む。作業者は、逆Ｕ字状把手５を掴んだまま押し引きすることにより、台車本体１を容易に走行させられる。逆Ｕ字状把手５を台車本体１から取り外すには、逆Ｕ字状把手５の両端を把手取付用孔６，６から引き抜く。もっとも、この逆Ｕ字状把手５は必ずしも必要なものではなく、なくてもよい。
【００２４】
他方、図２に示すように、台車本体１の前側壁１ａと後側壁１ｂに、それぞれ作業者が手を掛けられる横長形の台車移動用貫通孔７，８が設けられている。したがって、台車移動用貫通孔７，８のいずれか一方に、作業者が手を掛けて押したり引いたりすることによっても、台車本体１を容易に走行させられる。また、台車移動用貫通孔７，８の両方に、作業者が同時に手を掛けて引き上げるだけで、（台車本体１を走行させるのが難しい場合でも）台車本体１を簡単に持ち上げ、速やかに移動させることもできる。
【００２５】
台車本体１は、図２に示すように、底面の裏面側に開放空間を有していると共に、表面から底部にかけて周壁１Ａの位置が徐々に拡がる末拡がり状に形成されていて、図３に示すように、（逆Ｕ字状把手５を取り外した状態で）台車本体１に、複数台の別の台車本体１を被せるようにして積み重ねられる構成とされている。
【００２６】
具体的には、台車本体１の周壁１Ａの裏面とプール状収容空間４の裏側周面との間に隙間が全周にわたって形成されていて、台車本体１の上に別の台車本体１を上から被せることができる。したがって、この台車本体１の場合、複数の台車本体１を次々と上に被せて重ねることにより、台車本体１の複数台を積み重ねて床面上に載置できるので、複数台の台車本体１を纏めて保管しておく時のスペースが少なくて済む。
【００２７】
さらに、図１に示すようにプール状収容空間４の底には、台車本体１に別の台車本体１を被せて重ねた時に、別の台車本体の前・後輪２，３に対応する位置に、略円形状の凹み９が４箇所設けられていて、台車本体１に別の台車本体１を被せて重ねた時に、別の台車本体１の前・後輪２，３が、下の台車本体１のプール状収容空間１の底の凹み９に嵌まり込むようになっている。このように、台車本体１に別の台車本体１を被せて重ねた時に、別の台車本体１の車輪が下方に位置する台車本体１のプール状収容空間４の底の凹み９に嵌まり込む構成であれば、台車本体１に別の台車本体１を被せて重ねた時に、別の台車本体１の前・後輪２，３が下の台車本体１でつかえて嵩高になるのを回避できる結果、台車本体１に別の台車本体１をきっちり被せられる。
【００２８】
上述した本実施形態の遊技用運搬台車を用いてパチンコ玉等を運ぶ場合は、図４に示すように、走行用車輪付きの台車本体１に設けられたプール状収容空間４の開口から、パチンコ玉Ｐやスロットマシーン用コインＣをプール状収容空間４の中に直接投入したり、或いは、パチンコ玉が入ったパチンコ玉箱あるいはコインが入ったコイン箱をプール状収容空間４の開口から落とし込んで、プール状収容空間４に嵌め込んだりしてから、台車本体１を走行させる。
【００２９】
例えば、パチンコ玉Ｐが入ったパチンコ玉箱の場合、図５に示すように、先ず１台のパチンコ玉箱Ｑがプール状収容空間４に嵌め込まれる。さらに必要に応じて、図６に示すように、パチンコ玉箱Ｑの上に、更に別のパチンコ玉箱Ｑが積み上げられることもある。
【００３０】
コインＣが入ったコイン箱の場合、図７に示すように、コイン箱Ｒがプール状収容空間４に嵌め込まれる。プール状収容空間４は、一般に、２個のコイン箱Ｒを横並びで嵌め込める大きさがある。必要に応じて、コイン箱Ｒの上に、更に別のコイン箱Ｒが積み上げられることもある。
【００３１】
本実施形態の遊技用運搬台車の場合、上述したように、台車本体１に設けられたプール状収容空間４は、十分な深さがあるので、プール状収容空間４に投入されたパチンコ玉ＰやコインＣあるいはプール状収容空間４に嵌め込まれたパチンコ玉箱Ｑやコイン箱Ｒは、運搬中安定度の高い収容状態を維持できる。
【００３２】
その結果、パチンコ玉ＰやコインＣが運搬中にプール状収容空間４から外へこぼれ落ちるおそれはないし、パチンコ玉箱Ｑやコイン箱Ｒが運搬中に台車本体１から滑り落ちるおそれもない。よって、この遊技用運搬台車によれば、パチンコ玉Ｐあるいはスロットマシーン用コインＣが運搬中に台車から落下するのを確実に防止することができる。
【００３３】
加えて、この遊技用運搬台車は、図８に示すように、プール状収容空間４の空間体積を減殺して上げ底とするプレート本体１１と、プレート本体１１の裏面に付設された脚用突出片１２とを有し、脚用突出片１２を下側にしてプール状収容空間に取り出し可能にセットされる底上げ用プレート１０を用いることができる。プレート本体１１は、水平状態でプール状収容空間４の内側にぴったり納められる形に整えられている。
【００３４】
そして、図９に示すように、底上げ用プレート１０を、脚用突出片１２を下側にしてプール状収容空間４にセットすることによって、プレート本体１１が新たな底になるので、プール状収容空間４の深さを底上げ用プレート１０の高さ（プレート本体１１の厚み＋脚用突出片１２の高さ）だけ浅くできる。したがって、プール状収容空間４の深さを浅くしたい場合は、底上げ用プレート１０をプール状収容空間４にセットすればよい。このようにすることによって、出玉を多く見せることができ、遊技者の心理的満足感を高めることができる。また、底上げ用プレート１０をプール状収容空間４から取り出せば、直ちにプール状収容空間４を元の深さに戻せる。
【００３５】
加えて、底上げ用プレート１０のプレート本体１１には、台車本体１に別の台車本体１を被せた時、別の台車本体１の前・後輪２，３に対応する位置に略円形の切欠き１１Ａが設けられていて、台車本体１に別の台車本体１を被せて重ねた時に、別の台車本体１の前・後輪２，３が、下の台車本体１にセットされているプレート本体１１の切欠き１１Ａにそれぞれ嵌まり込む構成とされている。
【００３６】
このように、台車本体１に別の台車本体１を被せて重ねた時に別の台車本体１の前・後輪２，３が下の台車本体１にセットされているプレート本体１１の切欠き１１Ａに嵌まり込む構成であれば、台車本体１に別の台車本体１を被せて重ねた時に、別の台車本体１の走行用車輪が底上げ用プレート１０でつかえてしまい、嵩高になるのを回避できる結果、台車本体１に別の台車本体１を確実かつ安定に被せられる。
【００３７】
〔別実施の形態〕
（１）上記実施形態の遊技用運搬台車の場合、後輪３は非キャスター式の走行用車輪を用いたが、後輪３もキャスター式の走行用車輪であってもよい。
（２）上記実施形態の遊技用運搬台車の場合、走行用車輪が前後各２個の四輪式であったが、例えば前輪２の前にもう１つキャスター式の車輪が余分に設けられている五輪式などであってもよく、車輪の個数は特に限定されない。
（３）上記実施形態の遊技用運搬台車の場合、台車本体１の前側壁１ａと後側壁１ｂにそれぞれ台車移動用貫通孔７，８が設けられていたが、台車移動用貫通孔は台車本体１の前側壁１ａと後側壁１ｂのいずれか一方だけに設けられていてもよい。
（４）上記実施形態の遊技用運搬台車の場合、台車本体１が耐衝撃性のプラスチック材製であったが、台車本体１は金属製その他の材質のものであってもよい。
【図面の簡単な説明】
【００３８】
【図１】本考案に係る一実施形態の遊技用運搬台車を上面側から見た斜視図
【図２】図１の遊技用運搬台車の裏面側を示す底面図
【図３】図１の遊技用運搬台車の台車本体の複数個を積み上げた状態を示す斜視図
【図４】台車本体に設けられたプール状収容空間に直接パチンコ玉やスロットマシーン用コインを収容する状態を示す斜視図
【図５】台車本体に設けられたプール状収容空間にパチンコ玉箱を嵌め込んだ状態を示す斜視図
【図６】台車本体に複数個のパチンコ玉箱を積み上げた状態を示す立面図
【図７】台車本体に設けられたプール状収容空間にコイン箱を嵌め込んだ状態を示す斜視図
【図８】台車本体に設けられたプール状収容空間の底上げ用プレートを示す斜視図
【図９】底上げ用プレートがセットされている時の台車本体に、複数個のパチンコ玉箱を積み上げた状態を示す立面図
【図１０】従来の遊技用運搬台車を示す斜視図
【図１１】従来の遊技用運搬台車に複数のパチンコ玉箱を積み上げた状態を示す立面図
【符号の説明】
【００３９】
１              台車本体
１Ａ            （台車本体の）周壁
１ａ            （台車本体の）前側壁
１ｂ            （台車本体の）後側壁
２              前輪（走行用車輪）
３              後輪（走行用車輪）
４              プール状収容空間
７，８          台車移動用貫通孔
９              （台車本体の底の）凹み
１０            底上げ用プレート
１１            プレート本体
１１Ａ          （プレート本体の）切欠き
１２            脚用突出片
Ｃ              スロットマシーン用コイン
Ｐ              パチンコ玉
【図１】
0003120313.tif 000003
【図２】
0003120313.tif 000004
【図３】
0003120313.tif 000005
【図４】
0003120313.tif 000006
【図５】
0003120313.tif 000007
【図６】
0003120313.tif 000008
【図７】
0003120313.tif 000009
【図８】
0003120313.tif 000010
【図９】
0003120313.tif 000011
【図１０】
0003120313.tif 000012
【図１１】
0003120313.tif 000013